(57)【要約】【課題】  発光体の光を混色して、色再現範囲を広くすることができる照明装置、及び照明方法を提供する。【解決手段】  照明装置Ｘ１は、発光モジュール１０と、帯域フィルタ１５０とを備える。発光モジュール１０は、緑色ＬＥＤ１００ｇと、赤色ＬＥＤ１００ｒ、青色ＬＥＤ１００ｂ、白色ＬＥＤ１００ｗとを有する。帯域フィルタ１５０は、緑色ＬＥＤ１００ｇから発せられた緑色光の一部の波長領域を通過させる。そして、照明装置Ｘ１は、帯域フィルタ１５０を通過した後の緑色光と、赤色光、青色光、白色光とを合成して照射する。【選択図】図５
2018029025.tif 000002
【特許請求の範囲】
【請求項１】
緑の第１可視光を発する第１発光体と、前記緑以外の色の第２可視光を発する第２発光体とを有する発光モジュールと、
前記第１発光体から発せられた前記第１可視光の一部の波長領域を通過させる帯域フィルタとを備えて、
前記帯域フィルタを通過した後の前記第１可視光と、前記第２可視光とを合成して照射する
ことを特徴とする照明装置。
【請求項２】
前記帯域フィルタの中心波長は、前記第１発光体が発する前記第１可視光の発光スペクトルの半値幅内に設定されることを特徴とする請求項１記載の照明装置。
【請求項３】
前記第１可視光は、４９０〜５５０ｎｍの範囲内にピーク波長を有することを特徴とする請求項１または２記載の照明装置。
【請求項４】
前記発光モジュールは、複数の前記第１発光体と、互いに同一色の前記第２可視光を発する複数の第２発光体とを有しており、
前記第１発光体の数は、前記第２発光体の数より多い
ことを特徴とする請求項１乃至３のいずれか一項に記載の照明装置。
【請求項５】
前記発光モジュールは、複数の前記第１発光体を有しており、
前記第２発光体は、互いに異なる色の前記第２可視光を発する複数種類の第３発光体で構成されており、
前記第１発光体の数は、前記第３発光体の前記種類毎の数より多い
ことを特徴とする請求項１乃至３のいずれか一項に記載の照明装置。
【請求項６】
前記帯域フィルタは、５２０ｎｍを中心波長とすることを特徴とする請求項１乃至５のいずれか一項に記載の照明装置。
【請求項７】
複数の前記第１発光体と、複数の前記帯域フィルタとを備えており、
前記複数の帯域フィルタのそれぞれは、前記複数の第１発光体にそれぞれ対応して設けられており、
前記複数の帯域フィルタのそれぞれの中心波長は、前記複数の帯域フィルタのうち少なくとも１つの他の帯域フィルタの中心波長と異なる
ことを特徴とする請求項１乃至５のいずれか一項に記載の照明装置。
【請求項８】
前記第１可視光が通過するレンズをさらに備え、
前記帯域フィルタは、前記レンズに形成される
ことを特徴とする請求項１乃至７のいずれか一項に記載の照明装置。
【請求項９】
第１発光体が緑の第１可視光を発し、第２発光体が前記緑以外の色の第２可視光を発し、
前記第１発光体から発せられた前記第１可視光の一部の波長領域が帯域フィルタを通過して、
前記帯域フィルタを通過した後の前記第１可視光と、前記第２可視光とを合成して照射する
ことを特徴とする照明方法。
【発明の詳細な説明】
【技術分野】
【０００１】
本発明は、照明装置、及び照明方法に関する。
【背景技術】
【０００２】
従来、バックライト方式の液晶表示装置の広色域化を可能にするために、特許文献１に示すバックライト装置が提案されている。
【０００３】
特許文献１のバックライト装置（照明装置）は、透過型のカラー液晶表示パネルを背面側から白色光で照明する。透過型のカラー液晶表示パネルは、赤色光、緑色光、青色光をそれぞれ透過させる３原色フィルタからなるカラーフィルタを備えている。そして、バックライト装置は、赤色発光ダイオード、緑色発光ダイオード、及び青色発光ダイオードからなる光源を備える。そして、白色光の色温度が、１００００±１０００Ｋ（ケルビン）となるように、赤色発光ダイオード、緑色発光ダイオード及び青色発光ダイオードの各発光強度を調整して、赤色光の発光スペクトルの半値幅、緑色光の発光スペクトルの半値幅、青色光の発光スペクトルの半値幅のそれぞれを所定範囲に設定している。
【０００４】
具体的には、特許文献１のバックライト装置では、赤色光、緑色光、青色光の半値幅を広げている。例えば、緑色発光ダイオードのピーク波長範囲内において、ピーク波長が異なる複数の緑色発光ダイオードを意図的に選択して光源として用い、それぞれで発光される緑色光を混色することで、全体としての緑色光の半値幅を広げている。
【先行技術文献】
【特許文献】
【０００５】
【特許文献１】特開２００５−３２１７２７号公報
【発明の概要】
【発明が解決しようとする課題】
【０００６】
しかしながら、特許文献１のバックライト装置では、発光ダイオードが発する光の半値幅を広げた結果、光の色純度が低下してしまう。その結果、互いに異なる光色の発光ダイオードの光を混色した場合に、色再現範囲が狭くなるという課題があった。
【０００７】
そこで、発光ダイオードなどの発光体を用いた照明装置において、色再現範囲を広くすることが要求されている。
【０００８】
本発明の目的とするところは、発光体の光を混色して、色再現範囲を広くすることができる照明装置、及び照明方法を提供することにある。
【課題を解決するための手段】
【０００９】
本発明の一態様に係る照明装置は、発光モジュールと、帯域フィルタとを備える。前記発光モジュールは、緑の第１可視光を発する第１発光体と、前記緑以外の色の第２可視光を発する第２発光体とを有する。前記帯域フィルタは、前記第１発光体から発せられた前記第１可視光の一部の波長領域を通過させる。前記照明装置は、前記帯域フィルタを通過した後の前記第１可視光と、前記第２可視光とを合成して照射する。
【００１０】
本発明の一態様に係る照明方法は、第１発光体が緑の第１可視光を発し、第２発光体が前記緑以外の色の第２可視光を発する。そして、前記第１発光体から発せられた前記第１可視光の一部の波長領域が帯域フィルタを通過する。そして、前記帯域フィルタを通過した後の前記第１可視光と、前記第２可視光とを合成して照射する。
【発明の効果】
【００１１】
以上説明したように、本発明では、発光体の光を混色して、色再現範囲を広くすることができるという効果がある。
【図面の簡単な説明】
【００１２】
【図１】図１は、本発明の実施形態に係る照明装置の分解斜視図である。
【図２】図２は、同上の照明装置の正面図である。
【図３】図３は、同上の照明装置の平面図である。
【図４】図４は、同上の照明装置の左側面図である。
【図５】図５は、同上の照明装置の断面図である。
【図６】図６は、同上の照明装置の概略回路図である。
【図７】図７は、同上の照明装置の帯域フィルタの構成を示す後面図である。
【図８】図８は、同上の照明装置の発光モジュールの構成を示す正面図である。
【図９】図９は、照明装置のＬＥＤ及び帯域フィルタの各特性を示すグラフである。
【図１０】図１０は、同上の照明装置の混色光の特性を示すＸＹ色度図である。
【図１１】図１１は、同上の照明装置の混色光の特性を示す別のＸＹ色度図である。
【図１２】図１２は、同上の照明装置の帯域フィルタの別の構成を示す正面図である。
【図１３】図１３は、同上の照明装置の混色光の別の特性を示すＸＹ色度図である。
【図１４】図１４は、同上の照明装置の混色光の別の特性を示すＸＹ色度図である。
【図１５】図１５は、同上の照明装置の帯域フィルタの別の構成を示す正面図である。
【図１６】図１６Ａは、同上の照明装置を用いた照明器具の正面図であり、図１６Ｂは、同上の照明装置を用いた照明器具の側面図である。
【図１７】図１７は、同上の照明器具における照明ユニットの斜視図である。
【発明を実施するための形態】
【００１３】
以下の実施形態は、一般に、照明装置、及び照明方法に関する。より詳細には、以下の実施形態は、発光色が異なる複数の発光体を用いて混色する照明装置、及び照明方法に関する。
【００１４】
以下に本発明の実施形態を図面に基づいて説明する。
【００１５】
本実施形態に係る照明装置Ｘ１は、図１〜図５に示すように、発光モジュール１０と、第１レンズ部材１１と、光制御部材１２と、第２レンズ部材１３と、支持部材１４と、フィルタ部材１５とを備えている。なお、以下の説明では、特に断りのない限り、図１において、前後、左右、上下の各方向が規定されている。
【００１６】
発光モジュール１０は、発光体として、ＬＥＤ（Light Emitting Diode：発光ダイオード）を備える。そして、発光モジュール１０は、矩形板状のプリント配線板１０１と、複数個（図示例では２２個）のＬＥＤ１００とを有している。（図１参照）。ただし、ＬＥＤ１００の個数は２２個に限定されない。プリント配線板１０１の四隅に、それぞれ円形の貫通孔１０１０が形成されている。ただし、左上隅の貫通孔１０１０の一部が切り欠かれている。ＬＥＤ１００は、例えば、ＬＥＤチップと、ＬＥＤチップを収容する表面実装型のパッケージと、パッケージの一面から突出する樹脂部１０００とを有している（図５参照）。樹脂部１０００は、シリコーン樹脂のような透光性を有する合成樹脂によって半球状に形成されている。
【００１７】
複数のＬＥＤ１００のそれぞれは、緑色光を発する緑色ＬＥＤ１００ｇ、赤色光を発する赤色ＬＥＤ１００ｒ、青色光を発する青色ＬＥＤ１００ｂ、白色光を発する白色ＬＥＤ１００ｗのいずれかで構成される。すなわち、発光モジュール１０は、複数のＬＥＤ１００として、緑色ＬＥＤ１００ｇ、赤色ＬＥＤ１００ｒ、青色ＬＥＤ１００ｂ、白色ＬＥＤ１００ｗを具備している。また、ＬＥＤ１００のそれぞれは、樹脂部１０００に混入された蛍光体によって、ＬＥＤチップが発した光色を所望の光色に変換してもよい。すなわち、緑色ＬＥＤ１００ｇ、赤色ＬＥＤ１００ｒ、青色ＬＥＤ１００ｂのそれぞれの発光色は、ＬＥＤチップ自体の発光色、およびＬＥＤチップ自体の発光色を蛍光体を通して変換した色のいずれであってもよい。
【００１８】
これらの２２個のＬＥＤ１００は、プリント配線板１０１の前面に形成されているパッドにはんだ接合されることによって、プリント配線板１０１の前面（以下、実装面という）に実装されている。また、プリント配線板１０１の実装面には、２つのレセプタクルコネクタ１０２が実装されることが好ましい（図１参照）。これら２つのレセプタクルコネクタ１０２のそれぞれは、プリント配線板１０１の実装面に形成されているプリント配線（導体）を介して、緑色ＬＥＤ１００ｇ、赤色ＬＥＤ１００ｒ、青色ＬＥＤ１００ｂ、白色ＬＥＤ１００ｗのそれぞれに電気的に接続されている。そして、照明装置Ｘ１は、２つのレセプタクルコネクタ１０２のそれぞれを介して、緑色ＬＥＤ１００ｇ、赤色ＬＥＤ１００ｒ、青色ＬＥＤ１００ｂ、白色ＬＥＤ１００ｗのそれぞれに色毎に独立して電流が供給される。
【００１９】
なお、本実施形態において、第１発光体は、緑色ＬＥＤ１００ｇである。また、緑以外の色の光を発する第２発光体は、赤色ＬＥＤ１００ｒ、青色ＬＥＤ１００ｂ、白色ＬＥＤ１００ｗである。また、本実施形態において、互いに色が異なる複数種類の第３発光体は、赤色ＬＥＤ１００ｒ、青色ＬＥＤ１００ｂ、白色ＬＥＤ１００ｗのそれぞれである。
【００２０】
さらに、緑色ＬＥＤ１００ｇが発する緑色光が第１可視光である。また、赤色ＬＥＤ１００ｒ、青色ＬＥＤ１００ｂ、白色ＬＥＤ１００ｗがそれぞれ発する赤色光、青色光、白色光が第２可視光である。
【００２１】
第１レンズ部材１１は、ＬＥＤ１００と同数（２２個）の第１レンズ１１０と、第１支持部１１３とを有している（図１参照）。第１支持部１１３は、複数の第１レンズ１１０を支持している。これら２２個の第１レンズ１１０はそれぞれ、集光部１１１と反射部１１２を有している（図５参照）。集光部１１１は、コリメートレンズであることが好ましい。反射部１１２は、集光部１１１の入射面の周囲を囲むように筒状に形成されることが好ましい。反射部１１２は、入射した光を内部全反射（internal total reflection）するように構成されることが好ましい。複数の第１レンズ１１０と第１支持部１１３は、アクリル樹脂などの透光性を有する合成樹脂材料によって一体に形成されていることが好ましい。
【００２２】
第２レンズ部材１３は、ＬＥＤ１００と同数（２２個）の第２レンズ１３０と、第２支持部１３１とを有している（図１参照）。第２支持部１３１は、複数の第２レンズ１３０を支持している。これら２２個の第２レンズ１３０はそれぞれ、平凸レンズであることが好ましい（図３〜図５参照）。複数の第２レンズ１３０と第２支持部１３１は、アクリル樹脂などの透光性を有する合成樹脂材料によって一体に形成されていることが好ましい。
【００２３】
光制御部材１２は、少なくとも、第１光制御部材１２０と第２光制御部材１２１とを含むことが好ましい（図１、図３〜図５参照）。
【００２４】
第１光制御部材１２０は、第１遮光部１２００と、第１レンズ１１０と同数（２２個）の第１透過部１２０１とを有している。第１光制御部材１２０は、第１透過部１２０１と同数（２２個）の第１筒部１２０２をさらに有することが好ましい。第１遮光部１２００は、ＬＥＤ１００から放射される光を透過しない材料（例えば、透光性を有しない合成樹脂）によって、平板状に形成されていることが好ましい。複数の第１透過部１２０１のそれぞれは、第１遮光部１２００を厚み方向に貫通する円形の孔であることが好ましい（図５参照）。また、複数の第１筒部１２０２のそれぞれは、第１遮光部１２００の前面において、複数の第１透過部１２０１のそれぞれの縁から前方へ突出していることが好ましい。さらに、複数の第１筒部１２０２のそれぞれは、円管状であって、かつ、前方に向かうに連れて徐々に管径を小さくした形状に形成されていることが好ましい（図５参照）。第１光制御部材１２０は、３つの第１ボス１２０３をさらに有していることが好ましい（図１参照）。これら３つの第１ボス１２０３は、円筒形状であって、第１遮光部１２００の前面から前方へ突出ている。なお、第１遮光部１２００、複数の第１筒部１２０２及び３つの第１ボス１２０３は、合成樹脂によって一体に形成されていることが好ましい。また、複数の第１透過部１２０１及び複数の第１筒部１２０２の内周面は、シボ（微細な凹凸：surface texture）などが形成されて光を拡散するように構成されていることが好ましい。
【００２５】
第２光制御部材１２１は、第２遮光部１２１０と、第１透過部１２０１と同数（２２個）の第２透過部１２１１とを有している。第２光制御部材１２１は、第２透過部１２１１と同数（２２個）の第２筒部１２１２をさらに有することが好ましい。第２遮光部１２１０は、ＬＥＤ１００から放射される光を透過しない材料（例えば、透光性を有しない合成樹脂）によって、平板状に形成されていることが好ましい。複数の第２透過部１２１１のそれぞれは、第２遮光部１２１０を厚み方向に貫通する円形の孔であることが好ましい（図１及び図５参照）。また、複数の第２筒部１２１２のそれぞれは、第２遮光部１２１０の後面において、複数の第２透過部１２１１のそれぞれの縁から後方へ突出していることが好ましい（図５参照）。さらに、複数の第２筒部１２１２のそれぞれは、円管状であって、かつ、後方に向かうに連れて管径を小さくした形状に形成されていることが好ましい（図５参照）。第２光制御部材１２１は、３つの第２ボス１２１３をさらに有していることが好ましい（図１参照）。これら３つの第２ボス１２１３は、半円筒形状であって、第２遮光部１２１０の後面から後方へ突出ている。なお、第２遮光部１２１０、複数の第２筒部１２１２及び３つの第２ボス１２１３は、合成樹脂によって一体に形成されていることが好ましい。また、複数の第２透過部１２１１及び複数の第２筒部１２１２の内周面は、シボ（微細な凹凸：surface texture）などが形成されて光を拡散するように構成されていることが好ましい。
【００２６】
支持部材１４は、ベース部１４０と、複数（図示例では５つ）の支柱１４１とを有している（図１参照）。なお、ベース部１４０と５つの支柱１４１は、アルミダイカストによって一体に形成されていることが好ましい。ベース部１４０は、矩形の板状に形成されている。ベース部１４０は、第１レンズ１１０と同数（２２個）の円形の貫通孔１４２を有している（図１参照）。また、ベース部１４０は、４つの段部１４３を有している（図１参照）。これら４つの段部１４３のそれぞれは、ベース部１４０の四隅から１段ずつ後退するように、ベース部１４０と一体に形成されている。さらに、ベース部１４０は、２つのボスを有している。一方のボスは、ベース部１４０の右上隅における後面から後方へ突出している。他方のボスは、矩形板状の突片１４５の後面から後方へ突出している。なお、突片１４５は、ベース部１４０の下端における左右方向のほぼ中央から下向きに突出している。これら２つのボスは、前後方向に貫通するボルト挿通孔１４４を有している。５つの支柱１４１は、ベース部１４０の四隅及びベース部１４０のほぼ中央から前方へ突出している。これら５つの支柱１４１のそれぞれの先端（前端）には、雌ねじ（ねじ孔）１４１０が形成されている（図１参照）。
【００２７】
上述した発光モジュール１０、第１レンズ部材１１、光制御部材１２及び第２レンズ部材１３は、図２〜図５に示すように、支持部材１４にねじ止めされている。発光モジュール１０は、後方から支持部材１４のベース部１４０に支持されている。すなわち、ベース部１４０の２つのボルト挿通孔１４４に、２本のボルト１４６がそれぞれ前方から挿通されている。これら２本のボルト１４６のそれぞれは、プリント配線板１０１に設けられている２つの孔１０１１に挿通され、プリント配線板１０１の後面（非実装面）側でナットとはめ合わされ、かつ、締め付けられている。つまり、発光モジュール１０のプリント配線板１０１は、２組のボルト１４６とナットによって、ベース部１４０にねじ止め（ねじ締結）されている（図２参照）。ここで、発光モジュール１０の複数のＬＥＤ１００のそれぞれは、前方から見て、ベース部１４０の複数の貫通孔１４２のそれぞれのほぼ中心に位置している。
【００２８】
第１レンズ部材１１は、前方から支持部材１４のベース部１４０に支持されている。ただし、第１レンズ部材１１の複数の第１レンズ１１０のそれぞれが、ベース部１４０の複数の貫通孔１４２に１つずつ挿通されている（図５参照）。第１レンズ部材１１の第１支持部１１３に設けられている３つの孔１１３０（図１参照）に、３本のねじがそれぞれ挿通されている。これら３本のねじのそれぞれは、ベース部１４０に設けられている３つの雌ねじ部１４００（図１参照）とはめ合わされ、かつ、締め付けられている。つまり、第１レンズ部材１１は、３本のねじによって、ベース部１４０にねじ止め（ねじ締結）されている（図３〜図５参照）。ここで、複数の第１レンズ１１０のそれぞれの中心は、前方から見て、複数のＬＥＤ１００の樹脂部１０００の中心とほぼ重なっている。
【００２９】
第１光制御部材１２０は、第１レンズ部材１１の前方から支持部材１４のベース部１４０に支持されている。第１光制御部材１２０の第１遮光部１２００に設けられている４つの孔に、４本のねじがそれぞれ挿通されている。これら４本のねじのそれぞれは、第１レンズ部材１１の第１支持部１１３に設けられている４つの孔１１３１に挿通されている。さらに、これら４本のねじのそれぞれは、ベース部１４０に設けられている４つの雌ねじ部１４０１（図１参照）とはめ合わされ、かつ、締め付けられている。つまり、第１光制御部材１２０は、４本のねじによって、第１レンズ部材１１を介して、ベース部１４０にねじ止め（ねじ締結）されている（図３〜図５参照）。ここで、複数の第１透過部１２０１のそれぞれの中心は、前方から見て、複数の第１レンズ１１０のそれぞれの中心とほぼ重なっている。
【００３０】
第２光制御部材１２１は、第１光制御部材１２０の前方から支持部材１４の５つの支柱１４１と、第１光制御部材１２０の３つの第１ボス１２０３とに支持されている（図３〜図５参照）。第２光制御部材１２１の３つの第２ボス１２１３が、第１光制御部材１２０の３つの第１ボス１２０３とねじ締結されている。また、第２光制御部材１２１の第２遮光部１２１０に設けられている５つの孔１２１４に、５本のねじ１２１５がそれぞれ挿通されている。これら５本のねじ１２１５のそれぞれは、第２遮光部１２１０に設けられている５つの孔１２１４に挿通されている。さらに、これら５本のねじ１２１５のそれぞれは、５つの支柱１４１の先端の雌ねじ１４１０とはめ合わされ、かつ、締め付けられている。なお、ベース部１４０の中央から突出する支柱１４１は、第１レンズ部材１１の第１支持部１１３の中央に設けられている孔１１３２、及び、第１光制御部材１２０の第１遮光部１２００の中央に設けられている孔１２０４に挿通されている。ここで、複数の第２透過部１２１１のそれぞれの中心は、前方から見て、複数の第１レンズ１１０のそれぞれの中心とほぼ重なっている。
【００３１】
第２レンズ部材１３は、第２光制御部材１２１の前方から、支持部材１４の５つの支柱１４１に支持されている（図２〜図５参照）。第２レンズ部材１３の第２支持部１３１の四隅及び中央にそれぞれ設けられている５つの孔１３２（図１参照）に、５本のねじ１２１５のそれぞれが挿通されている。つまり、第２レンズ部材１３は、第２光制御部材１２１とともに、５本のねじ１２１５によって、５つの支柱１４１にねじ止め（ねじ締結）されている（図２参照）。ここで、複数の第２レンズ１３０のそれぞれの中心は、前方から見て、第１レンズ１１０のそれぞれの中心とほぼ重なっている。
【００３２】
したがって、ＬＥＤ１００から放射された光は、第１レンズ１１０、第１透過部１２０１、第２透過部１２１１、第２支持部１３１、第２レンズ１３０を通って、照明装置Ｘ１の前方に向かって照射される。そして、照明装置Ｘ１の照射光は、緑色ＬＥＤ１００ｇ、赤色ＬＥＤ１００ｒ、青色ＬＥＤ１００ｂ、白色ＬＥＤ１００ｗのそれぞれから放射された光が合成された混色光となる。
【００３３】
照明装置Ｘ１は、図６に示すように、電源装置４１から直流電力を供給される。電源装置４１は、例えば、交流の電力系統から供給される交流を直流電力に変換する。そして、電源装置４１は、プリント配線板１０１に実装されている緑色ＬＥＤ１００ｇ、赤色ＬＥＤ１００ｒ、青色ＬＥＤ１００ｂ、白色ＬＥＤ１００ｗのそれぞれに直流電力を供給する。電源装置４１は、緑色ＬＥＤ１００ｇ、赤色ＬＥＤ１００ｒ、青色ＬＥＤ１００ｂ、白色ＬＥＤ１００ｗのそれぞれに供給する直流電力を色毎に増減させることで、混色光の色を制御（調色制御）できる。電源装置４１は、外部から送信される制御信号を有線または無線で受信する構成を備えている。電源装置４１は、受信した制御信号に基づいて、緑色ＬＥＤ１００ｇ、赤色ＬＥＤ１００ｒ、青色ＬＥＤ１００ｂ、白色ＬＥＤ１００ｗのそれぞれに供給する直流電力を個別に増減させて、混色光の色を制御する。
【００３４】
しかし、ＬＥＤの発光スペクトルは半値幅が広いため、ＬＥＤは純色の光を発することが難しい。そのため、緑、赤、青などのＬＥＤは、緑、赤、青などの純色を再現することが困難である。したがって、色が異なる複数のＬＥＤの光を混色させた場合、混色光は彩度が比較的低く、淡い色になる。この結果、従来の混色によって再現可能な色範囲（色再現範囲）は比較的狭くなってしまう。
【００３５】
そこで、本実施形態では、照明装置Ｘ１がフィルタ部材１５を備える。フィルタ部材１５は、緑色ＬＥＤ１００ｇと同数の帯域フィルタ１５０を備えている（図３〜図５参照）。緑色ＬＥＤ１００ｇが発する緑色光は、帯域フィルタ１５０を通過することによって発光スペクトルの半値幅を抑制されるので、混色による色再現範囲が広くなる。
【００３６】
複数の帯域フィルタ１５０のそれぞれは、図７に示すように、第２レンズ部材１３の第２支持部１３１の後面において、第２レンズ１３０に対向して配置されている。帯域フィルタ１５０のそれぞれは、蒸着または印刷などによって、第２支持部１３１の後面に形成されることが好ましい。複数の帯域フィルタ１５０のそれぞれは、第２透過部１２１１、第１透過部１２０１、第１レンズ１１０を間に挟んで、緑色ＬＥＤ１００ｇに対向している。すなわち、複数の帯域フィルタ１５０と複数の緑色ＬＥＤ１００ｇとは、互いに１対１にそれぞれ対応している（図５参照）。さらに、複数の帯域フィルタ１５０は、第２支持部１３１を間に挟んで第２レンズ１３０にそれぞれ対向している。すなわち、複数の帯域フィルタ１５０のそれぞれを通過した緑色光は、帯域フィルタ１５０の前方に位置する第２レンズ１３０の後面側に入射し、第２レンズ１３０の前面側から出射する。
【００３７】
本実施形態では、図８に示すように、緑色ＬＥＤ１００ｇ、赤色ＬＥＤ１００ｒ、青色ＬＥＤ１００ｂ、白色ＬＥＤ１００ｗのそれぞれが、プリント配線板１０１の実装面に実装されている。図８では、緑色ＬＥＤ１００ｇ、赤色ＬＥＤ１００ｒ、青色ＬＥＤ１００ｂ、白色ＬＥＤ１００ｗが並んで配置されている。そして、帯域フィルタ１５０は、緑色ＬＥＤ１００ｇ、赤色ＬＥＤ１００ｒ、青色ＬＥＤ１００ｂ、白色ＬＥＤ１００ｗのうち、緑色ＬＥＤ１００ｇにのみ対向して設けられている。したがって、緑色ＬＥＤ１００ｇが発した緑色光は、帯域フィルタ１５０を通過する。
【００３８】
図９の上段は、緑色ＬＥＤ１００ｇの相対発光強度の特性を示す。緑色ＬＥＤ１００ｇが発する緑色光の相対発光強度が最大値となる波長を、ピーク波長λｇとすると、ピーク波長λｇは５２５ｎｍ程度である。また、緑色ＬＥＤ１００ｇが発する緑色光の発光スペクトルにおいて、相対発光強度が最大値の半分になる波長幅を、緑色ＬＥＤ１００ｇの半値幅Ｗｇとすると、半値幅Ｗｇは３０〜４０ｎｍ（例えば３５ｎｍ）である。なお、緑色ＬＥＤ１００ｇのピーク波長λｇは、４９０〜５５０ｎｍの範囲内にあることが好ましい。
【００３９】
図９の下段は、帯域フィルタ１５０の透過率の特性を示す。帯域フィルタ１５０の透過率が最大値となる波長を、帯域フィルタ１５０の中心波長λｆ０とすると、中心波長λｆ０は５２０ｎｍである。また、帯域フィルタ１５０の透過率が最大値の半分になる波長幅を、帯域フィルタ１５０の半値幅Ｗｆとすると、半値幅Ｗｆは１０ｎｍ程度である。すなわち、帯域フィルタ１５０の半値幅Ｗｆは、緑色ＬＥＤ１００ｇの半値幅Ｗｇより狭く、半値幅Ｗｇの１／３〜１／４に設定されることが好ましい。すなわち、帯域フィルタ１５０は、緑色ＬＥＤ１００ｇから発せられた緑色光の一部の波長領域を通過させる。
【００４０】
したがって、緑色ＬＥＤ１００ｇが発した緑色光は、元の全波長領域より狭い領域の波長が主に帯域フィルタ１５０を通過する。すなわち、帯域フィルタ１５０を通過した緑色光は、発光スペクトルの半値幅が狭くなり、純色に近くなる。なお、帯域フィルタ１５０の中心波長λｆ０は、５２０ｎｍ以外であってもよい。また、帯域フィルタ１５０は、ローパスフィルタとハイパスフィルタとを積層して形成されてもよい。
【００４１】
そして、半値幅が狭い緑色光が、赤色光、青色光、白色光と混色すると、緑付近の色相において、色再現範囲が従来よりも広くなる。この結果、照明装置Ｘ１では、混色光が緑付近の色相に調光される場合、色相の調整範囲が従来よりも広くなる。さらに、照明装置Ｘ１では、混色光が緑付近の色相に調光される場合、従来よりも高い彩度まで調整できるので、彩度の調整範囲を従来よりも広くすることができる。
【００４２】
また、帯域フィルタ１５０の半値幅Ｗｆが緑色ＬＥＤ１００ｇの半値幅Ｗｇに対して上述のように設定されることで、帯域フィルタ１５０を通過する光量（必要な光量）の確保と、帯域フィルタ１５０で吸収される光量（無駄な光量）の抑制との両立が可能となる。すなわち、帯域フィルタ１５０は、緑色ＬＥＤ１００ｇが発する緑色光のうち必要な波長領域の光を通過させ、かつ緑色ＬＥＤ１００ｇが発する緑色光のうち、吸収する光量をできるだけ抑えることができる。したがって、照明装置Ｘ１は、緑色ＬＥＤ１００ｇが発する緑色光を効率よく利用することができる。
【００４３】
図１０のＸＹ色度図において、三角形状の色再現範囲Ｒ１は、フィルタ部材１５を備えた照明装置Ｘ１による色再現範囲を示す。三角形状の色再現範囲Ｒ２は、フィルタ部材１５を備えていない場合の色再現範囲を示す。色再現範囲Ｒ１は、色再現範囲Ｒ２よりも、帯域フィルタ１５０の中心波長λｆ０付近にまで色再現範囲が広がっており、色相及び彩度の再現可能な範囲が広くなっている。特に、色再現範囲Ｒ１は、中心波長λｆ０付近の色相における色再現範囲が従来よりも広くなっている。
【００４４】
図１１のＸＹ色度図は、様々な規格で規定されている色再現範囲Ｒ３〜Ｒ５を併せて示している。色再現範囲Ｒ３は、ＨＤＴＶ（High Definition TeleVision）で規定されている色再現範囲、またはｓＲＧＢで規定されている色再現範囲である。色再現範囲Ｒ４は、ＵＨＤＴＶ（Ultra High Definition TeleVision）で規定されている色再現範囲である。色再現範囲Ｒ５は、ＡｄｏｂｅＲＧＢで規定されている色再現範囲である。
【００４５】
色再現範囲Ｒ１は、色再現範囲Ｒ３を含んでいる。したがって、照明装置Ｘ１が照射する混色光は、ＨＤＴＶで規定されている色再現範囲、及びｓＲＧＢで規定されている色再現範囲を再現可能である。
【００４６】
色再現範囲Ｒ１は、色再現範囲Ｒ４の大部分を含んでいる。したがって、照明装置Ｘ１が照射する混色光は、ＵＨＤＴＶで規定されている色再現範囲の大部分を再現可能である。
【００４７】
色再現範囲Ｒ１は、色再現範囲Ｒ５のほぼ全てを含んでいる。したがって、照明装置Ｘ１が照射する混色光は、ＡｄｏｂｅＲＧＢで規定されている色再現範囲のほぼ全てを再現可能である。
【００４８】
しかし、緑色ＬＥＤ１００ｇから発せられた緑色光の光束は、帯域フィルタ１５０を通過する際に低減してしまう。
【００４９】
そこで、本実施形態では、緑色ＬＥＤ１００ｇの数を、赤色ＬＥＤ１００ｒ、青色ＬＥＤ１００ｂ、白色ＬＥＤ１００ｗのそれぞれの数より多くしている。例えば、図８において、発光モジュール１０は、１０個の緑色ＬＥＤ１００ｇ、４個の赤色ＬＥＤ１００ｒ、４個の青色ＬＥＤ１００ｂ、４個の白色ＬＥＤ１００ｗを備えている。なお、緑色ＬＥＤ１００ｇ、赤色ＬＥＤ１００ｒ、青色ＬＥＤ１００ｂ、白色ＬＥＤ１００ｗのそれぞれの数は、上述の数に限定されることはなく、照明装置Ｘ１の仕様、用途などに応じた任意の数に設定される。
【００５０】
したがって、帯域フィルタ１５０を通過した緑色光の総光束を確保することができるので、混色光の光量を確保することができる。
【００５１】
また、帯域フィルタ１５０の中心波長λｆ０は、緑色ＬＥＤ１００ｇの半値幅Ｗｇ内に設定されることが好ましい。すなわち、図９に示すように、緑色ＬＥＤ１００ｇの半値幅Ｗｇに、帯域フィルタ１５０の中心波長λｆ０が存在する。この結果、帯域フィルタ１５０を通過する緑色光の光束の低減が抑えられる。
【００５２】
この場合も、帯域フィルタ１５０を通過した緑色光の総光束を確保することができるので、混色光の光量を確保することができる。
【００５３】
また図１２に示すように、フィルタ部材１５は、中心波長が異なる複数種類の帯域フィルタ１５０，１５１，１５２を備えることが好ましい。帯域フィルタ１５０の中心波長λｆ０、帯域フィルタ１５１の中心波長λｆ１、帯域フィルタ１５２の中心波長λｆ２とすると、λｆ１＜λｆ０＜λｆ２の関係になる。また、帯域フィルタ１５０，１５１，１５２のそれぞれの半値幅Ｗｆは１０ｎｍ程度である。したがって、帯域フィルタ１５０を通過した緑色光、帯域フィルタ１５１を通過した緑色光、帯域フィルタ１５２を通過した緑色光は、互いにピーク波長が異なる。また、帯域フィルタ１５０、１５１、１５２を通過した各緑色光は、発光スペクトルの半値幅が狭くなっており、純色に近くなる。
【００５４】
この場合、電源装置４１は、帯域フィルタ１５０に対向している緑色ＬＥＤ１００ｇ、帯域フィルタ１５１に対向している緑色ＬＥＤ１００ｇ、帯域フィルタ１５２に対向している緑色ＬＥＤ１００ｇのそれぞれに供給する直流電力を個別に増減させる。すなわち、電源装置４１は、帯域フィルタ１５０に対向している緑色ＬＥＤ１００ｇ、帯域フィルタ１５１に対向している緑色ＬＥＤ１００ｇ、帯域フィルタ１５２に対向している緑色ＬＥＤ１００ｇを、それぞれ独立して調光できる。
【００５５】
例えば、帯域フィルタ１５０の中心波長λｆ０が５２０ｎｍ、帯域フィルタ１５１の中心波長λｆ１が５１０ｎｍ、帯域フィルタ１５２の中心波長λｆ２が５３０ｎｍであると仮定する。この場合、図１３のＸＹ色度図において、五角形状の色再現範囲Ｒ１０は、帯域フィルタ１５０，１５１，１５２を備えた照明装置Ｘ１による色再現範囲を示す。色再現範囲Ｒ１０は、色再現範囲Ｒ２よりも、帯域フィルタ１５０の中心波長λｆ０付近、帯域フィルタ１５１の中心波長λｆ１付近、帯域フィルタ１５２の中心波長λｆ２付近にまで色再現範囲が広がっている。
【００５６】
すなわち、中心波長が異なる複数種類の帯域フィルタ１５０，１５１，１５２によって、色再現範囲Ｒ１０は、色相及び彩度の再現可能な範囲がより広くなっている。特に、色再現範囲Ｒ１は、中心波長λｆ０，λｆ１，λｆ２付近の色相における色再現範囲が従来よりも広くなっている。
【００５７】
なお、図１２、図１３では、中心波長が異なる３種類の帯域フィルタ１５０，１５１，１５２を用いた照明装置Ｘ１について説明したが、帯域フィルタの種類は３種類に限定されない。中心波長が互いに異なる帯域フィルタの種類が多くなるにつれて、色再現範囲はより広くなる。
【００５８】
また、発光モジュール１０は、ＬＥＤ１００として、緑色ＬＥＤ１００ｇ、赤色ＬＥＤ１００ｒ、青色ＬＥＤ１００ｂ、白色ＬＥＤ１００ｗ以外に、シアン（Ｃｙａｎ）、黄の各色の光を発するＬＥＤを備えてもよい。ＬＥＤ１００として、緑色ＬＥＤ１００ｇ、赤色ＬＥＤ１００ｒ、青色ＬＥＤ１００ｂ、白色ＬＥＤ１００ｗに、シアン、黄の各色の光を発するＬＥＤをさらに加えた場合、その混色光の色再現範囲は、図１４に示すＸＹ色度図の色再現範囲Ｒ２０になる。色再現範囲Ｒ２０は、シアン色光による５００ｎｍ付近の波長λｆ１１、黄色光による５７５ｎｍ付近の波長λｆ１２付近にまで色再現範囲が広がっている。
【００５９】
すなわち、ピーク波長が異なる複数種類のＬＥＤ１００によって、色再現範囲Ｒ２０は、色相及び彩度の再現可能な範囲がより広くなっている。
【００６０】
また図１５に示すように、フィルタ部材１５は、第１レンズ部材１１に設けられてもよい。この場合、フィルタ部材１５の帯域フィルタ１５０は、第１レンズ部材１１の第１支持部１１３の前面において、第１レンズ１１０に対向して設けられている。帯域フィルタ１５０のそれぞれは、蒸着または印刷などによって、第１支持部１１３の前面に形成されることが好ましい。
【００６１】
複数の帯域フィルタ１５０のそれぞれは、第１レンズ１１０を間に挟んで、緑色ＬＥＤ１００ｇに対向している。すなわち、複数の帯域フィルタ１５０と複数の緑色ＬＥＤ１００ｇとは、互いに１対１にそれぞれ対応している。さらに、複数の帯域フィルタ１５０は、第１透過部１２０１、第２透過部１２１１、第２支持部１３１を間に挟んで第２レンズ１３０にそれぞれ対向している。すなわち、複数の帯域フィルタ１５０のそれぞれを通過した緑色光は、通過した帯域フィルタ１５０の前方に位置する第２レンズ１３０の後面側に入射し、第２レンズ１３０の前面側から出射する。
【００６２】
この場合も、上記同様に、発光スペクトルの半値幅が狭い緑色光が、赤色光、青色光、白色光と混色されるので、緑付近の色相において、色再現範囲が従来よりも広くなる。
【００６３】
また、フィルタ部材１５は、第１レンズ部材１１、第２レンズ部材１３以外の部材に設けられてもよい。例えば、フィルタ部材１５は、光制御部材１２、または支持部材１４に設けられてもよい。
【００６４】
また、照明装置Ｘ１の発光モジュール１０は、複数のＬＥＤ１００として、緑色ＬＥＤ１００ｇ（第１発光体）、白色ＬＥＤ１００ｗ（第２発光体）のみを備えていてもよい。この場合も、上記同様に発光スペクトルの半値幅が狭い緑色光が、白色光と混色されるので、緑付近の色相において、色再現範囲が従来よりも広くなる。さらに、照明装置Ｘ１において、緑色ＬＥＤ１００ｇの数を白色ＬＥＤ１００ｗの数より多くすることが好ましい。この場合、帯域フィルタ１５０を通過した緑色光の総光束を確保することができるので、混色光の光量を確保することができる。
【００６５】
なお、緑色ＬＥＤ１００ｇと組み合わされるＬＥＤは、赤色ＬＥＤ１００ｒ、青色ＬＥＤ１００ｂなどのように、白以外の光を発するＬＥＤであってもよい。
【００６６】
ところで、照明装置Ｘ１は、図１６Ａ及び図１６Ｂに示すように、照明器具（投光器）Ｙ１の光源に用いられることが好ましい。照明器具Ｙ１は、器具本体２、アーム３、電源ユニット４などを備えることが好ましい。器具本体２は、筐体２０と、カバー２１とを有することが好ましい。筐体２０は、ステンレス鋼板などの金属板により、前面が開放された箱状に形成されている。カバー２１は、枠体２２と、パネル２３とを有している。枠体２２は、ステンレス鋼板などの金属板により、矩形の枠状に形成されている。パネル２３は、透光性を有する合成樹脂（アクリル樹脂又はポリカーボネート樹脂）やガラスにより、矩形の平板状に形成されている。パネル２３は、枠体２２に支持されている。カバー２１は、筐体２０の前面を覆うように筐体２０に取り付けられている。アーム３は、ステンレス鋼板などの金属板によってＵ字状に形成されている。アーム３の両端は、筐体２０の側壁にそれぞれねじ止めされている。つまり、筐体２０（器具本体２）は、アーム３によって回転可能に支持されている。電源ユニット４は、金属製のケース４０と、ケース４０内に収容されている電源装置４１（図６参照）とを有している。ケース４０は、筐体２０の後面に取り付けられている（図１６Ｂ参照）。
【００６７】
筐体２０は、図１６Ａに示すように、照明ユニット１を収容している。照明ユニット１は、図１７に示すように、４台の照明装置Ｘ１と、取付板１７と、複数の電源ケーブル１６とを備えている。取付板１７は、アルミ板や亜鉛鋼板などの金属板によって、矩形の平板状に形成されている。４台の照明装置Ｘ１は、上下左右に隣り合うように並べて、取付板１７の前面に取り付けられている。ここで、４台の照明装置Ｘ１のそれぞれは、支持部材１４の４つの段部１４３が取付板１７にねじ止め（ねじ締結）されている。電源ケーブル１６は、複数本（図示例では４本）の電線と、これら４本の電線の先端に設けられているプラグコネクタとを有している。電源ケーブル１６は、発光モジュール１０のレセプタクルコネクタ１０２と接続されている。そして、これら４台の照明装置Ｘ１は、電源ケーブル１６を介して電源ユニット４から直流電力が給電されている。
【００６８】
なお、発光モジュール１０が備える発光体は、ＬＥＤ１００に限らず、有機発光ダイオード（OLED：Organic Light Emitting Diode）などの他の固体発光素子であってもよい。
【００６９】
以上のように、実施形態に係る第１の態様の照明装置（Ｘ１）は、発光モジュール（１０）、帯域フィルタ（１５０，１５１，１５２）とを備える。発光モジュール（１０）は、緑の第１可視光を発する第１発光体（緑色ＬＥＤ１００ｇ）と、緑以外の色の第２可視光を発する第２発光体（赤色ＬＥＤ１００ｒ、青色ＬＥＤ１００ｂ、白色ＬＥＤ１００ｗ）とを有する。帯域フィルタ（１５０，１５１，１５２）は、緑色ＬＥＤ１００ｇから発せられた第１可視光の一部の波長領域を通過させる。そして、照明装置Ｘ１は、帯域フィルタ（１５０，１５１，１５２）を通過した後の第１可視光と、第２可視光とを合成して照射する。
【００７０】
したがって、照明装置（Ｘ１）では、発光スペクトルの半値幅が狭い緑色光を生成できるので、この緑色光を他の色の光と混色させると、緑付近の色相において、色再現範囲が従来よりも広くなる。この結果、照明装置（Ｘ１）から発せられる混色光が緑付近の色相に調光される場合、色相の調整範囲が従来よりも広くなる。さらに、照明装置（Ｘ１）から発せられる混色光が緑付近の色相に調光される場合、従来よりも高い彩度まで調整できるので、彩度の調整範囲が従来よりも広くなる。
【００７１】
実施形態に係る第２の態様の照明装置（Ｘ１）では、第１の態様において、帯域フィルタ（１５０，１５１，１５２）の中心波長（λｆ０、λｆ１、λｆ２）は、緑色ＬＥＤ（１００ｇ）が発する第１可視光の発光スペクトルの半値幅（Ｗｇ）内に設定されることが好ましい。
【００７２】
この結果、帯域フィルタ（１５０，１５１，１５２）を通過する緑色光の相対発光強度の減衰が抑えられる。したがって、照明装置（Ｘ１）は、帯域フィルタ（１５０，１５１，１５２）を通過した緑色光の総光束を確保することができるので、混色光の光量を確保することができる。すなわち、照明装置（Ｘ１）は、緑付近の色相において、色再現範囲を効率よく広くすることができる。
【００７３】
実施形態に係る第３の態様の照明装置（Ｘ１）では、第１または第２の態様において、第１可視光は、４９０〜５５０ｎｍの範囲内にピーク波長λｇを有することが好ましい。
【００７４】
この結果、照明装置（Ｘ１）が発する混色光は、緑付近の色相及び彩度の再現範囲が従来よりも広くなる。
【００７５】
実施形態に係る第４の態様の照明装置（Ｘ１）では、第１乃至第３の態様のいずれか１つにおいて、発光モジュール（１０）は、複数の緑色ＬＥＤ（１００ｇ）と、複数の第２発光体（赤色ＬＥＤ１００ｒ、青色ＬＥＤ１００ｂ、白色ＬＥＤ１００ｗのいずれか）とを有する。複数の第２発光体は、互いに同一色の第２可視光を発する。そして、緑色ＬＥＤ（１００ｇ）の数は、第２発光体の数より多いことが好ましい。
【００７６】
この結果、帯域フィルタ（１５０，１５１，１５２）を通過した緑色光の総光束を確保することができるので、照明装置（Ｘ１）は、混色光の光量を確保することができる。
【００７７】
実施形態に係る第５の態様の照明装置（Ｘ１）では、第１乃至第３の態様のいずれか１つにおいて、発光モジュール（１０）は、複数の緑色ＬＥＤ（１００ｇ）を有している。第２発光体は、互いに異なる色の第２可視光を発する複数種類の第３発光体（赤色ＬＥＤ１００ｒと青色ＬＥＤ１００ｂと白色ＬＥＤ１００ｗ）で構成されている。そして、緑色ＬＥＤ（１００ｇ）の数は、第３発光体の種類毎の数より多いことが好ましい。
【００７８】
この結果、帯域フィルタ（１５０，１５１，１５２）を通過した緑色光の総光束を確保することができるので、照明装置Ｘ１は、混色光の光量を確保することができる。
【００７９】
実施形態に係る第６の態様の照明装置（Ｘ１）では、第１乃至第５の態様のいずれか一つにおいて、帯域フィルタ（１５０）は、５２０ｎｍを中心波長（λｆ０）とすることが好ましい。
【００８０】
この結果、帯域フィルタ（１５０）は、主に緑色光を通過させることができる。
【００８１】
実施形態に係る第７の態様の照明装置Ｘ１では、第１乃至第５の態様のいずれか一つにおいて、複数の緑色ＬＥＤ（１００ｇ）と、複数の帯域フィルタ（１５０，１５１，１５２）とを備えている。複数の帯域フィルタ（１５０，１５１，１５２）のそれぞれは、複数の緑色ＬＥＤ（１００ｇ）にそれぞれ対応して設けられている。複数の帯域フィルタ（１５０，１５１，１５２）のそれぞれの中心波長（λｆ０、λｆ１、λｆ２）は、複数の帯域フィルタ（１５０，１５１，１５２）のうち少なくとも１つの他の帯域フィルタ（１５０，１５１，１５２）の中心波長と異なることが好ましい。
【００８２】
この結果、中心波長が異なる複数種類の帯域フィルタ（１５０，１５１，１５２）によって、混色光の色再現範囲がより広くなる。
【００８３】
実施形態に係る第８の態様の照明装置Ｘ１では、第１乃至第７の態様のいずれか一つにおいて、第１可視光が通過するレンズ（第１レンズ部材１１、第２レンズ部材１３）をさらに備える。そして、帯域フィルタ（１５０，１５１，１５２）は、レンズに形成されることが好ましい。
【００８４】
この結果、帯域フィルタ（１５０，１５１，１５２）を蒸着または印刷などによって生成することが容易になる。
【００８５】
実施形態に係る第９の態様の照明方法は、第１発光体（緑色ＬＥＤ１００ｇ）が緑の第１可視光を発し、第２発光体（赤色ＬＥＤ１００ｒ、青色ＬＥＤ１００ｂ、白色ＬＥＤ１００ｗ）が緑以外の色の第２可視光を発する。そして、緑色ＬＥＤ１００ｇから発せられた第１可視光の一部の波長領域が帯域フィルタ（１５０，１５１，１５２）を通過する。そして、本照明方法では、帯域フィルタ（１５０，１５１，１５２）を通過した後の第１可視光と、第２可視光とを合成して照射する。
【００８６】
したがって、発光スペクトルの半値幅が狭い緑色光を生成できるので、この緑色光を他の色の光と混色させると、緑付近の色相において、色再現範囲が従来よりも広くなる。この結果、本照明方法では、混色光を緑付近の色相に調光する場合、色相の調整範囲が従来よりも広くなる。さらに、本照明方法では、混色光を緑付近の色相に調光する場合、従来よりも高い彩度まで調整できるので、彩度の調整範囲を従来よりも広くすることができる。
【００８７】
また、上述の実施形態にて開示した具体構成は、実施形態に係る各態様の一例である。このため、本実施形態は、上述の具体構成に限定されることはなく、上述の具体構成以外であっても、本実施形態に係る各態様の技術的思想を逸脱しない範囲であれば、設計等に応じて種々の変更が可能であることは勿論である。
【符号の説明】
【００８８】
Ｘ１  照明装置
１０  発光モジュール
１１  第１レンズ部材（レンズ）
１３  第２レンズ部材（レンズ）
１５  フィルタ部材
１００  ＬＥＤ（発光体）
１００ｇ  緑色ＬＥＤ（第１発光体）
１００ｒ  赤色ＬＥＤ（第２発光体、第３発光体）
１００ｂ  青色ＬＥＤ（第２発光体、第３発光体）
１００ｗ  白色ＬＥＤ（第２発光体、第３発光体）
１１０  第１レンズ
１３０  第２レンズ
１５０，１５１，１５２  帯域フィルタ
λｇ  ピーク波長
λｆ０、λｆ１、λｆ２  中心波長
Ｗｇ  半値幅（第１発光体の半値幅）
Ｗｆ  半値幅（帯域フィルタの半値幅）
【図１】
2018029025.tif 000003
【図２】
2018029025.tif 000004
【図３】
2018029025.tif 000005
【図４】
2018029025.tif 000006
【図５】
2018029025.tif 000007
【図６】
2018029025.tif 000008
【図７】
2018029025.tif 000009
【図８】
2018029025.tif 000010
【図９】
2018029025.tif 000011
【図１０】
2018029025.tif 000012
【図１１】
2018029025.tif 000013
【図１２】
2018029025.tif 000014
【図１３】
2018029025.tif 000015
【図１４】
2018029025.tif 000016
【図１５】
2018029025.tif 000017
【図１６】
2018029025.tif 000018
【図１７】
2018029025.tif 000019